(57)【要約】【課題】  テープ識別孔やテープ識別のためのＩＣ回路を用いずに、第１の（下位フォーマットの）テープカートリッジ用の記録再生装置への誤挿入を防止できる第２の（上位フォーマットの）テープカートリッジを提供する。【解決手段】  第２のテープカートリッジＣ２のリッド９の前面部下縁に形成されている切欠き９ｂの高さを、第１のテープカートリッジＣ１用の記録再生装置のカセットホルダー１５０に立設されているスライダー開放突起１５２の高さよりも低くして、当該第１の記録再生装置へ第２のテープカートリッジＣ２が挿入されようとしても、リッド９の前面部にスライダー開放突起１５２を当接させ、当該第２のテープカートリッジＣ２の挿入を規制する。【選択図】        図９
2005243167.tif 000002
【特許請求の範囲】
【請求項１】
磁気テープを収納したカートリッジケースと、前記カートリッジケースの前方部に形成されたテープローディング用の空間部と、前記空間部の前部を開閉するリッドと、前記カートリッジケースの下面に対してスライド自在に取り付けられ前記空間部の下部を開閉するスライダーとを備え、前記リッドの下縁には、記録再生装置のカートリッジ挿入部に立設され前記スライダーを開放位置へ押動するためのスライダー開放突起が通過する切欠きが形成されたテープカートリッジであり、標準とする第１のテープカートリッジ用の第１の記録再生装置に対して非互換とされる第２のテープカートリッジであって、
前記第１のテープカートリッジのリッド下縁部に形成された切欠きは、前記第１の記録再生装置のカートリッジ挿入部に立設されたスライダー開放突起が通過できる高さに形成されているのに対し、
前記第２のテープカートリッジのリッド下縁部に形成された切欠きは、前記第１の記録再生装置のカートリッジ挿入部に立設されたスライダー開放突起の通過を阻止できる高さに形成されることによって前記カートリッジ挿入部の誤挿入が防止される
ことを特徴とするテープカートリッジ。
【請求項２】
前記第２のテープカートリッジは、前記第１のテープカートリッジよりも記録容量が大きい
ことを特徴とする請求項１に記載のテープカートリッジ。
【請求項３】
前記第２のテープカートリッジの磁気テープは、前記第１のテープカートリッジの磁気テープよりも幅広に形成されている
ことを特徴とする請求項１に記載のテープカートリッジ。
【請求項４】
前記第２のテープカートリッジのスライダーは、金属材料で形成されている
ことを特徴とする請求項１に記載のテープカートリッジ。
【請求項５】
前記第２のテープカートリッジのカートリッジケースは、前記第１のテープカートリッジのカートリッジケースよりも薄肉に形成されている
ことを特徴とする請求項１に記載のテープカートリッジ。
【請求項６】
磁気テープを収納したカートリッジケースと、前記カートリッジケースの前方部に形成されたテープローディング用の空間部と、前記空間部の前部を開閉するリッドと、前記カートリッジケースの下面に対してスライド自在に取り付けられ前記空間部の下部を開閉するスライダーとを備えたテープカートリッジが挿入されるカートリッジ挿入部を備え、
前記リッドの下縁に形成された切欠きを通過して前記スライダーを開放位置へ押動するスライダー開放突起が、前記カートリッジ挿入部に立設された記録再生装置であり、標準とする第１のテープカートリッジよりも記録容量の大きい第２のテープカートリッジ用の記録再生装置であって、
前記第２のテープカートリッジのリッド下縁に形成された切欠きは、前記第１のテープカートリッジのリッド下縁に形成された切欠きよりも低く形成されており、
前記スライダー開放突起は、前記第１，第２のテープカートリッジのいずれの前記切欠きをも通過できる高さとされている
ことを特徴とする記録再生装置。
【発明の詳細な説明】
【技術分野】
【０００１】
本発明は、例えば、記録容量の大きい上位フォーマットのテープカートリッジが、下位フォーマットのテープカートリッジ用の記録再生装置に誤って挿入されるのを防止できる誤挿入防止構造を備えたテープカートリッジ、及び、上位フォーマットのテープカートリッジと下位フォーマットのテープカートリッジの何れに対しても使用可能な記録再生装置に関する。
【背景技術】
【０００２】
従来、デジタル信号を高密度で記録することができる小型軽量の磁気テープカートリッジが知られている。例えば、コンピュータのデータを記録するための、小型の磁気テープカートリッジとして、ＤＤＳ（Digital Data Storage）カートリッジが知られている。
【０００３】
周知のように、このＤＤＳカートリッジやＤＡＴ（Digital Audio Tape）カートリッジ等の磁気テープカートリッジは、長尺の磁気テープのそれぞれの端部を固定した上で、この磁気テープを巻装した一対のハブを、この２つのハブ間に張架された部分の磁気テープのみ露出するカートリッジケースに収容して構成される。
【０００４】
磁気テープには高密度の記録が行われることから、特に磁気テープに対して手指が接触することや塵埃が付着することを防止するため、カートリッジケースの密閉性を向上させる必要がある。そのため、上シェルには、磁気テープを露出する前面側を覆うためにリッドが設けられ、下シェルには、下面側を覆うためのスライダーが設けられている。
【０００５】
図１２は、従来より公知のＤＤＳカートリッジの一構成例を示す分解斜視図である。この種のテープカートリッジＣ１は、互いに結合してカートリッジケース１０１を形成する上シェル１０２と下シェル１０３とを有している。カートリッジケース１０１の内部には一対のハブ１０４に巻装された磁気テープ１０５が収納されている。
【０００６】
テープカートリッジＣ１の非使用時において、ハブ１０４が回転して磁気テープ１０５が弛まないように、ハブ１０４の回転を禁止するハブロック１０６が、下シェル１０３に設けられている。このハブロック１０６は、ハブロックスプリング１０７に付勢されてハブ１０４に設けられた歯車部と係合している。また、上シェル１０２には、テープカートリッジＣ１の非使用時において、カートリッジケース１０１の前方部に形成されたテープローディング用の空間部（マウス部）１０８に張架された磁気テープ１０５を保護するためのリッド１０９が設けられている。
【０００７】
下シェル１０３は、その略長方形状の底面１０３ａに、テープカートリッジＣ１の使用時において、カートリッジケース１０１内にリール軸を挿入するためのリール軸挿入孔１０３ｂを有し、底面１０３ａの左右両端は、前方に延びる張出し部１０３ｃとなっている。テープローディング用の空間部１０８は、左右の張出し部１０３ｃの間に形成されている。
【０００８】
スライダー１１０は、下シェル１０３の底面１０３ａに下側から接してカートリッジ前後方向に摺動する。スライダー１１０が前方に位置するときは、下シェル１０３の空間部１０８及びリール軸挿入孔１０３ｂをスライダー１１０の底面１１０ａにより防塵のため塞ぐようにしている。また、スライダー１１０が後方に位置するときは、下シェル１０３の空間部１０８を開放すると共に、スライダー１１０の底面１１０ａに設けられた２つの孔１１０ｂが下シェル１０３のリール軸挿入孔１０３ｂと整列するようになっている。
【０００９】
スライダー１１０の底面１１０ａの前方に設けた円柱状のリブ１１０ｃにはスライダーロックスプリング１１１が挿入され、スライダー１１０は、テープカートリッジＣ１の非使用時において、スライダーロックスプリング１１１の付勢によってカートリッジ前方側に位置されている。そして、下シェル１０３の底面１０３ａの左右には、スライダー１１０の底面１１０ａに左右一組ずつ穿設された位置決め孔１１０ｄ，１１０ｅに嵌合するスライダーロック１０３ｄが一体形成されており、スライダー１１０の前方位置及び後方位置をそれぞれ位置決めするようになっている。
【００１０】
スライダー１１０は、テープカートリッジＣ１が記録再生装置に装着されたとき、図１３及び図１４に示す記録再生装置のカートリッジ挿入部を構成するカセットホルダー１５０の底面上に立設された一対のスライダーロック解除リブ１５１が、リッド１０９の前面部下縁にある一対の第１切欠き１０９ａを通過して、スライダー１１０の位置決め孔１１０ｄに嵌合されているスライダーロック１０３ｄによるロック作用を解除する。そして、カセットホルダー１５０の底面に立設された一対のスライダー開放突起１５２が、リッド１０９の前面部下縁にある一対の第２切欠き１０９ｂを通過して、スライダー１１０の前面部に当接し、スライダー１１０をカートリッジ後方に押動する。
【００１１】
なお、カートリッジ後方に押動されたスライダー１１０は、スライダーロック１０３ｄが位置決め孔１１０ｅに嵌合することにより、その後方位置で位置決めされる。その後、リッド１０９が回動されて空間部１０８が開放されると共に、ハブロック１０６によるハブ１０４の回転規制が解除され、磁気テープ１０５がローディング可能な状態とされる。
【００１２】
ところで、このＤＤＳフォーマットのテープカートリッジＣ１は、記録するデータの増大と共に、テープカートリッジもそれに合わせて記録容量を増大させる必要があり、例えば、既存のテープカートリッジＣ１を標準の第１のテープカートリッジとした場合、このカートリッジケース１０１と同サイズのカートリッジケース内により広幅の磁気テープを収容して、第１のテープカートリッジＣ１よりも記録容量を高めた上位フォーマットの第２のテープカートリッジを提案するとする。
【００１３】
従来より、ＤＤＳフォーマットのテープカートリッジにおいては、その上位フォーマットと下位フォーマットについて下位互換させることが規定されている。この場合、上位フォーマットである第２のテープカートリッジ用の記録再生装置には、下位フォーマットである第１のテープカートリッジの記録再生は可能であるが、第１のテープカートリッジ用の記録再生装置には、第２のテープカートリッジは記録できないシステムとなっている。
【００１４】
従って、将来提案されるであろう上位フォーマットのテープカートリッジが、既存の下位フォーマットのテープカートリッジ用の記録再生装置へ挿入されると、当該上位フォーマットのテープカートリッジの記録動作が適正に行えなくなるのは勿論、既に記録されているデータが消失するおそれもあり、更には、装着された記録再生装置にも不具合が生じる懸念があるので、上位フォーマットのテープカートリッジが下位フォーマットの記録再生装置へ挿入されることを防止する何らかの対策を施す必要がある。
【００１５】
この種の誤挿入防止機構としては、従来より、テープカートリッジの後方裏側に複数のテープ識別孔を設けて、これら複数のテープ識別孔の開閉状態の組合せにより磁気テープの種類を識別する方法や、テープカートリッジ側に管理情報を記録したＩＣ回路を埋設し、記録再生装置側に読み取り装置を取り付けて、磁気テープの種類に関する情報を読み取る手段等が採用されている。
【００１６】
なお、この出願の発明に関連する先行技術文献を以下に示す。特許文献１には、ケースサイズが等しく磁気テープの種類が異なる２種類のカセットをそれぞれ専用の装置で扱う記録再生装置において、家庭用のカセットが業務用のカセット記録再生装置に誤挿入されるのを防止する技術が開示されている。また、特許文献２には、２種類のカセットを同一の記録再生装置で使用するための技術について開示されている。
【００１７】
【特許文献１】特開平８−５０７７２号公報
【特許文献２】特開平６−１６２７５２号公報
【発明の開示】
【発明が解決しようとする課題】
【００１８】
しかしながら、ＤＤＳフォーマットのテープカートリッジのテープ識別孔は、現状３個で合計８通りの識別しかできず、既に４世代のフォーマットとＤＡＴカートリッジの商品群において識別に余裕がない状況にある。
【００１９】
また、識別孔を新設する空間的な余裕もカートリッジケースには存在しない。一方、テープカートリッジ内にテープ識別のためのＩＣ回路を埋設する方法は確かに有効な手段ではあるが、誤ってＩＣ回路を破損した場合等においては、テープ種類の識別は不可能となってしまう。
【００２０】
本発明は上述の問題に鑑みてなされ、テープ識別孔やテープ識別のためのＩＣ回路を用いずに、下位フォーマットのテープカートリッジ用の記録再生装置への誤挿入を防止できる上位フォーマットのテープカートリッジ、及び、下位フォーマットのテープカートリッジをも記録再生可能な上位フォーマットのテープカートリッジ用の記録再生装置を提供することを課題とする。
【課題を解決するための手段】
【００２１】
以上の課題を解決するに当たり、本発明のテープカートリッジは、磁気テープを収納したカートリッジケースと、カートリッジケースの前方部に形成されたテープローディング用の空間部と、この空間部の前部を開閉するリッドと、カートリッジケースの下面に対してスライド自在に取り付けられ空間部の下部を開閉するスライダーとを備え、リッドの下縁には、記録再生装置のカートリッジ挿入部に立設されスライダーを開放位置へ押動するためのスライダー開放突起が通過する切欠きが形成されたテープカートリッジであり、標準とする第１のテープカートリッジ用の第１の記録再生装置に対して非互換とされる第２のテープカートリッジであって、第１のテープカートリッジのリッド下縁部に形成された切欠きは、第１の記録再生装置のカートリッジ挿入部に立設されたスライダー開放突起が通過できる高さに形成されているのに対し、第２のテープカートリッジのリッド下縁部に形成された切欠きは、第１の記録再生装置のカートリッジ挿入部に立設されたスライダー開放突起の通過を阻止できる高さに形成されることによって、当該カートリッジ挿入部への第２のテープカートリッジの誤挿入が防止される構造とされている。
【００２２】
この構成により、第１のテープカートリッジ用の記録再生装置へ当該第２のテープカートリッジを挿入しようとしても、カートリッジ挿入部に立設されたスライダー開放突起がリッド下縁の切欠きを通過することなくリッドに当接し、カートリッジのそれ以上の進入を規制して、ユーザーに対して異種フォーマットのテープカートリッジの誤挿入を認識させることができる。
【００２３】
また、本発明の記録再生装置は、磁気テープを収納したカートリッジケースと、このカートリッジケースの前方部に形成されたテープローディング用の空間部と、この空間部の前部を開閉するリッドと、カートリッジケースの下面に対してスライド自在に取り付けられ空間部の下部を開閉するスライダーとを備えたテープカートリッジが挿入されるカートリッジ挿入部を備え、リッドの下縁に形成された切欠きを通過してスライダーを開放位置へ押動するスライダー開放突起がカートリッジ挿入部に立設された記録再生装置であり、標準とする第１のテープカートリッジよりも記録容量の大きい第２のテープカートリッジ用の記録再生装置であって、第２のテープカートリッジのリッド下縁に形成された切欠きは、第１のテープカートリッジのリッド下縁に形成された切欠きよりも低く形成されており、スライダー開放突起は、第１，第２のテープカートリッジのいずれの前記切欠きをも通過できる高さとされている。
【００２４】
この構成により、当該第２のテープカートリッジ用の記録再生装置は、下位フォーマットである第１のテープカートリッジをも挿入可能となり、下位互換性を満足することができる。
【発明の効果】
【００２５】
以上述べたように、本発明のテープカートリッジによれば、これよりも下位のフォーマットのテープカートリッジ用記録再生装置に対して、テープ識別孔やテープ識別用のＩＣ回路を用いることなく誤挿入防止対策を講じることができる。これにより、カートリッジの構成に大幅な改変を伴うことなく、常に適正に異種フォーマット用の記録再生装置への誤挿入を防止することができる。
【００２６】
また、本発明の記録再生装置によれば、上述した構成の本発明に係るテープカートリッジは勿論、これより下位のテープカートリッジに対しても適応させることができる構成とされているので、下位互換に対する要求を満足することができる。
【発明を実施するための最良の形態】
【００２７】
以下、本発明の実施の形態について図面を参照して説明する。
【００２８】
図１〜図４は、本発明の実施の形態によるテープカートリッジＣ２であり、このテープカートリッジＣ２は、先に図１２を参照して説明したテープカートリッジＣ１よりもフォーマット的に上位の高記録容量の第２のテープカートリッジに相当する。
ここで、図１はテープカートリッジＣ２の一構成例を示す分解斜視図、図２はテープカートリッジＣ２の上シェルを取り外して見たときの平面図、図３は同斜視図、図４は上シェル側の構成の分解斜視図である。
【００２９】
テープカートリッジＣ２は、互いに結合してカートリッジケース１を形成する上シェル２と下シェル３とを有している。カートリッジケース１の内部には、一対のハブ４に巻装された長尺の磁気テープ５が収納されている（図１において磁気テープ５の図示は省略されている）。磁気テープ５は、ハブ４に対してクランパ４ａを介して固着されている。
【００３０】
ここで、この第２のテープカートリッジＣ２における磁気テープ５は、上述の第１のテープカートリッジＣ１における磁気テープ１０５よりも幅広に形成されることによって、テープカートリッジＣ１よりも高い記録容量を備えている。広幅の磁気テープ５を収容するために、本実施の形態のテープカートリッジＣ２は、上シェル２、下シェル３及びハブロック６の各々の厚さ寸法をテープカートリッジＣ１のそれらよりも薄肉化すると共に、スライダー１０を金属製として、カートリッジ全体の厚さ及び強度を同等としながら、カートリッジ内部空間（磁気テープ収納空間）の高さ寸法を大きくしている。
【００３１】
これにより、例えば、第１のテープカートリッジＣ１の磁気テープ１０５が３．８１ｍｍのテープ幅で１５０ｍの長さを有するフォーマット（ＤＤＳ４）であれば、記録容量がノーマルモードで２０ＧＢ（圧縮時４０ＧＢ）であるのに対し、同じテープ長でテープ幅６．３５ｍｍ（１／４インチ）の磁気テープ５を備えた当該第２のテープカートリッジＣ２の記録容量は、ノーマルモードで３２ＧＢ（圧縮時６４ＧＢ）に高めることができる。
【００３２】
さて、このテープカートリッジＣ２の非使用時において、ハブ４が回転して磁気テープ５が弛まないように、ハブ４の回転を禁止するハブロック６が、上シェル２に設けられている。このハブロック６は、ハブロックスプリング７に付勢されてハブ４に設けられた歯車部と係合している。
【００３３】
ハブロックスプリング７は、図４に示すように、上シェル２の底面２ａの前方略中央部に立設されたボス２ｂに装着され、このハブロックスプリング７の付勢力によりハブロック６をハブ４側へ付勢すると共に、これらハブロックスプリング７とハブ４との間でハブロック６を保持している。
【００３４】
なお、上シェル２の左右の張出し部２ｃには、磁気テープ５の始端と終端を検知する検知光の光路となるプリズム１２が、例えば超音波溶着等により接合されている。
【００３５】
下シェル３は、その略長方形状の底面３ａに、テープカートリッジＣ２の使用時において、カートリッジケース１内にリール軸を挿入するためのリール軸挿入孔３ｂを有し、底面３ａの左右両端は、前方に延びる張出し部３ｃとなっている。テープローディング用の空間部８は、左右の張出し部３ｃの間に形成されている。
【００３６】
また、上シェル２には、テープカートリッジＣ２の非使用時において、カートリッジケース１の前方部に形成されたテープローディング用の空間部（マウス部）８に張架された磁気テープ５を保護するためのリッド９が設けられている。
【００３７】
スライダー１０は、下シェル３の底面３ａに下側から接してカートリッジ前後方向に摺動する。スライダー１０が前方に位置するときは、下シェル３の空間部８及びリール軸挿入孔３ｂをスライダー１０の底面１０ａにより防塵のため塞ぐようにしている。また、スライダー１０が後方に位置するときは、下シェル３の空間部８を開放すると共に、スライダー１０の底面１０ａに設けられた２つの孔１０ｂが下シェル３のリール軸挿入孔３ｂと整列するようになっている。
【００３８】
スライダー１０は、金属板をプレス加工して形成されている。そして、下シェル３の底面３ａの前端に立設された円柱状のリブ３ｅと、スライダー１０の前端略中央部に折り曲げ形成された係止部１０ｃとの間に、スライダースプリング１１を設けることにより、スライダー１０をカートリッジ前方位置へ付勢している。
【００３９】
図５及び図６は、テープカートリッジＣ２と、その記録再生装置のカートリッジ挿入部を構成するカセットホルダー５０との関係を示す平面図及び側断面図である。カセットホルダー５０の底面の左右には、リッド９の下縁の形成された一対の第１切欠き９ａと、スライダー１０の底部下面に形成された一対の凹所１０ｄ（図１）とを通過する一対の凸状部５１が設けられている。なお、凹所１０ｄの形成位置に対応して、下シェル３の底部にはニゲ３ｄが形成されている。
【００４０】
また、カセットホルダー５０の前端には、リッド９下縁の第１切欠き９ａよりも内方側に形成された一対の第２切欠き９ｂを通過する一対のスライダー開放突起５２が設けられている。これにより、テープカートリッジＣ２がその記録再生装置に装着されたとき、図７に示すように、カセットホルダー５０の底面上に立設された一対のスライダー開放突起５２が、リッド９の前面部下縁にある一対の第２切欠き９ｂを通過して、スライダー１０の前面部に当接し、スライダー１０がカートリッジ後方に押動されるようになっている。
【００４１】
なお、スライダー１０がカートリッジ後方に押動されると、下シェル３のリール軸挿入孔３ｂとスライダー１０の孔１０ｂとが整列してハブ４にリール軸が挿入可能とされると共に、リッド１０９が回動されて空間部１０８が開放され、ハブロック６によるハブ４の回転規制が解除され、磁気テープ５がローディング可能な状態とされる。
【００４２】
ここで、図８は、第１，第２のテープカートリッジＣ１，Ｃ２の各々の正面図であり、Ａは第１のテープカートリッジＣ１、Ｂは第２のテープカートリッジＣ２をそれぞれ示している。第２のテープカートリッジＣ２のリッド９の第１切欠き９ａ及び第２切欠き９ｂは、第１のテープカートリッジＣ１のリッド１０９の第１切欠き１０９ａ及び第２切欠き１０９ｂの形成位置に、それぞれ対応している。
【００４３】
図８Ａに示す第１のテープカートリッジＣ１のリッド１０９の前面部下縁の第１切欠き１０９ａは、カートリッジ基準面よりも低く当該基準面から０．４ｍｍ以下、第２切欠き１０９ｂの高さ寸法はカートリッジ基準面よりも高く当該基準面から０．９ｍｍ以上と規格の上においてそれぞれ規定されている。これに合わせて、第１のテープカートリッジＣ１用の記録再生装置のカセットホルダー１５０では、スライダーロック解除リブ１５１及びスライダー開放突起１５２の高さ寸法が定められている。
【００４４】
そこで、本実施の形態の第２のテープカートリッジＣ２においては、リッド９の前面部下縁の第１切欠き９ａは、第１のテープカートリッジＣ１における第１切欠き１０９ａと同等の高さ寸法に設定する一方、第２切欠き９ｂの高さ寸法は、第１のテープカートリッジＣ１における第２切欠き１０９ｂよりも低くし、具体的には、第１のテープカートリッジＣ１用の記録再生装置のカセットホルダー１５０におけるスライダー開放突起１５２の高さ寸法よりも低くし、例えば、カートリッジ基準面よりも０．４ｍｍ以下の範囲内で低く設定し、第１切欠き９ａと同等の高さ寸法としている。これに合わせて、第２のテープカートリッジＣ２用の記録再生装置のカセットホルダー５０では、凸状部５１及びスライダー開放突起５２の高さ寸法が定められている。
【００４５】
以上の構成により、下位フォーマットである第１のテープカートリッジＣ１用の記録再生装置へ、上位フォーマットである第２のテープカートリッジＣ２が挿入される場合、図９に示すように、カセットホルダー１５０のスライダーロック解除リブ１５１はリッド９の第１切欠き９ａを通過するものの、スライダー開放突起１５１はリッド９の第２切欠き９ｂよりも高く形成されているので、当該スライダー開放突起１５１はリッド９の前面部に当接して第２切欠き９ｂの通過を阻止されると共に、第２のテープカートリッジＣ２のそれ以上の進入が規制される。
【００４６】
これに対して、第２のテープカートリッジＣ２用の記録再生装置へ、第１のテープカートリッジＣ１が挿入される場合は、図１０に示すように、カセットホルダー５０の凸状部５１はリッド１０９の第１切欠き１０９ａを通過し、また、スライダー開放突起５１はリッド１０９の第２切欠き１０９ｂよりも低く形成されているので、当該スライダー開放突起５２は第２切欠き１０９ｂを通過することができる。これにより、第１のテープカートリッジＣ１は、凸状部５１によるスライダーロックが解除されると共に、スライダー開放突起５２によるスライダー１１０の開放動作が行われ、記録再生動作が可能となる。
【００４７】
以上のように、本実施の形態のテープカートリッジＣ２によれば、これよりもフォーマット的に下位の第１のテープカートリッジＣ１用の記録再生装置へ挿入しようとしても、当該記録再生装置のカセットホルダー１５０におけるスライダー開放突起１５２によりカートリッジの進入が規制され、ユーザーに対して異種フォーマットカートリッジの誤挿入を認識させることができる。
【００４８】
また、本実施の形態のテープカートリッジＣ２用の記録再生装置によれば、テープカートリッジＣ２だけでなく、これよりもフォーマット的に下位の第１のテープカートリッジＣ１の挿入をも許容することができる。
【００４９】
以上の作用を図１１に示す。図１１は、第１，第２のテープカートリッジＣ１，Ｃ２とこれら各々の記録再生装置との相関を示しており、○は挿入可能、×は挿入不可能をそれぞれ示している。
【００５０】
以上、本発明の実施の形態について説明したが、勿論、本発明はこれに限定されることなく、本発明の技術的思想に基づいて種々の変形が可能である。
【００５１】
例えば以上の実施の形態では、第１，第２のテープカートリッジＣ１，Ｃ２をそれぞれ異なる構成としたが、これらを同一の構成とし、リッド前面部下縁の第２切欠きの高さ寸法のみを異ならせるようにしてもよい。
【００５２】
また、以上の実施の形態では、第２のテープカートリッジＣ２のリッド９の第１，第２の切欠き９ａ，９ｂをそれぞれ同一の高さ寸法に設定した例を説明したが、これに限らず、第２切欠き９ｂの高さ寸法を第１切欠き９ａの高さ寸法よりも大きく又は小さくしてもよい。
【図面の簡単な説明】
【００５３】
【図１】本発明の実施の形態による上位フォーマットの第２のテープカートリッジＣ２の構成の一例を示す分解斜視図である。
【図２】テープカートリッジＣ２の上シェルを取り外して見たときの平面図である。
【図３】同斜視図である。
【図４】上シェル２の分解斜視図である。
【図５】テープカートリッジＣ２とカセットホルダー５０との関係を示す平面図である。
【図６】同側断面図である。
【図７】同斜視図である。
【図８】テープカートリッジのリッド前面部の図であり、Ａは下位フォーマットの第１のテープカートリッジＣ１、Ｂは上位フォーマットの第２のテープカートリッジＣ２をそれぞれ示している。
【図９】第１のテープカートリッジ用の記録再生装置（カセットホルダー１５０）に対する第２のテープカートリッジＣ２の挿入例を示す斜視図である。
【図１０】第２のテープカートリッジ用の記録再生装置（カセットホルダー５０）に対する第１のテープカートリッジＣ１の挿入例を示す斜視図である。
【図１１】第１，第２のテープカートリッジとこれらの記録再生装置との間の挿入の可否を示す一覧図である。
【図１２】従来の第１のテープカートリッジＣ１の構成の一例を示す分解斜視図である。
【図１３】テープカートリッジＣ１とカセットホルダー１５０との関係を示す斜視図である。
【図１４】同要部の斜視図である。
【符号の説明】
【００５４】
１…カートリッジケース、２…上シェル、３…下シェル、４…ハブ、５…磁気テープ、６…ハブロック、８…空間部、９…リッド、９ａ…第１切欠き、９ｂ…第２切欠き、１０…スライダー、５０…カセットホルダー、５１…凸状部、５２…スライダー開放突起、Ｃ１…（下位フォーマットの）第１のテープカートリッジ、２…（上位フォーマットの）第２のテープカートリッジ。
【図１】
2005243167.tif 000003
【図２】
2005243167.tif 000004
【図３】
2005243167.tif 000005
【図４】
2005243167.tif 000006
【図５】
2005243167.tif 000007
【図６】
2005243167.tif 000008
【図７】
2005243167.tif 000009
【図８】
2005243167.tif 000010
【図９】
2005243167.tif 000011
【図１０】
2005243167.tif 000012
【図１１】
2005243167.tif 000013
【図１２】
2005243167.tif 000014
【図１３】
2005243167.tif 000015
【図１４】
2005243167.tif 000016